(57)【特許請求の範囲】
【請求項１】
パネルの両側に設置されたパネル支持柱にパネルを着脱自在に取り付けるパネル取付装置であって、
前記パネル支持柱に設けられた係止部材と、前記パネルの背面に設けられ該係止部材に係止される被係止部材とを備え、前記係止部材は、前記パネル支持柱に対して上下方向に移動自在に設けられ、前記係止部材を上下に移動させることにより、前記被係止部材との係止状態が解除される構成とされており、
前記パネル支持柱は、前面が上下方向に開口した開口部と、背面に形成された操作孔とを有し、前記パネル支持柱の前記背面に取り付けられた前記係止部材の本体部は、前記開口部から前記操作孔を介して上下に移動自在とされていることを特徴とするパネル取付装置。
【請求項２】
請求項１において、
前記係止部材の前記本体部には、前記支持柱に取り付けられた状態において前記開口部側に突出し、前記操作孔に係止される突起部が設けられており、
前記操作孔は、２つの前記係止部材の前記突起部が挿通された状態で上下動するよう上下方向に形成された長孔としたことを特徴とするパネル取付装置。
【請求項３】
請求項２において、
前記突起部には、挿通孔が形成されていることを特徴とするパネル取付装置。
【請求項４】
請求項１〜請求項３のいずれか１項において、
前記係止部材は、さらに前記パネル支持柱の側面に取り付けられる一対の側部と、いずれか一方の前記側部に形成され前記被係止部材に形成された引掛部と係止状態になる折曲部とを有し、
前記折曲部の前記引掛部と接触する端部は、前記折曲部が下方側に向かって次第に幅狭となる斜め形状としたことを特徴とするパネル取付装置。
【請求項５】
請求項１〜請求項４のいずれか１項において、
前記開口部には、該開口部を塞ぐ目地カバーが設けられることを特徴とするパネル取付装置。
【発明の詳細な説明】
【技術分野】
【０００１】
本発明は、パネルの両側に設置されたパネル支持柱にパネルを着脱自在に取り付けるパネル取付装置に関する。
【背景技術】
【０００２】
従来より、パネルを壁面に取り付けるパネル取付構造は、種々提案されており、例えば、パネル取付装置としては、下記特許文献１が挙げられる。
【０００３】
特許文献１には、上下に長い支柱の前面板の両側端に、後側内方へ傾斜した傾斜片をそれぞれ設け、複数本の支柱を間隙を介して立設し、パネルの両側端面に後がわ側方へ傾斜した板ばねを取り付けたパネルの取付構造が記載されている。
これによれば、パネルをパネル支持柱側へ押すと、板ばねの弾性変形により板ばねは支柱の角部に当って一旦変形し、そのパネル支持柱の傾斜片の外面側で板ばねの復元力により傾斜片の外面に係合することができる。
【先行技術文献】
【特許文献】
【０００４】
【特許文献１】実開昭５９−１０９８１７公報
【発明の概要】
【発明が解決しようとする課題】
【０００５】
しかしながら、上記特許文献１には、パネルを取り外す際に傾斜片と板ばねの係止関係をどう解除するかについてはなんら記載が見当たらず、取り外す際には、治具をパネル間に挿し入れて係止関係を解除する必要があるものと考えられる。またここで用いられる治具は、パネルの両側端面に後ろ側方へ傾斜した板ばねを押圧して傾斜片との係止関係を解除する必要があるため、特殊な形状であることが求められ、パネルを容易に取り外すことができないものと考えられる。
【０００６】
本発明は、上記実情に鑑みてなされたものであり、パネルを容易に着脱することができるパネル取付装置を提供することを目的としている。
【課題を解決するための手段】
【０００７】
上記目的を達成するために、本発明に係るパネル取付装置は、パネルの両側に設置されたパネル支持柱にパネルを着脱自在に取り付けるパネル取付装置であって、前記パネル支持柱に設けられた係止部材と、前記パネルの背面に設けられ該係止部材に係止される被係止部材とを備え、前記係止部材は、前記パネル支持柱に対して上下方向に移動自在に設けられ、前記係止部材を上下に移動させることにより、前記被係止部材との係止状態が解除される構成とされており、前記パネル支持柱は、前面が上下方向に開口した開口部と、背面に形成された操作孔とを有し、前記パネル支持柱の前記背面に取り付けられた前記係止部材の本体部は、前記開口部から前記操作孔を介して上下に移動自在とされていることを特徴とする。
【０００８】
本発明において、前記係止部材の前記本体部には、前記パネル支持柱に取り付けられた状態において前記開口部側に突出し、前記操作孔に係止される突起部が設けられており、前記操作孔は、２つの前記係止部の前記突起部が挿通された状態で上下動するよう上下方向に形成された長孔としてもよい。
さらに本発明において、前記突起部には、挿通孔が形成されているようにしてもよい。
そして本発明において、前記係止部材は、さらに前記パネル支持柱の側面に取り付けられる一対の側部と、いずれか一方の前記側部に形成され前記被係止部材に形成された引掛部と係止状態になる折曲部とを有し、前記折曲部の前記引掛部と接触する端部は、前記折曲部が下方側に向かって次第に幅狭となる斜め形状としてもよい。
また本発明において、前記開口部には、該開口部を塞ぐ目地カバーが設けられるようにしてもよい。
【発明の効果】
【０００９】
本発明に係るパネル取付装置によれば、上述の構成としているので、パネルを容易に着脱することができる。
【図面の簡単な説明】
【００１０】
【図１】本発明の一実施形態に係るパネル取付装置の模式的斜視図である。
【図２】（ａ）は同パネル取付装置の被係止部材を示す模式的斜視図であり、（ｂ）は同パネル取付装置の係止部材を示す模式的斜視図である。また（ｃ）は同パネル取付装置のパネル支持柱を背面側から見た模式的斜視図である。
【図３】（ａ）、（ｂ）は同パネル取付装置のパネル係止状態における模式的断面図である。
【図４】同パネル取付装置によるパネルの着脱要領を説明するための図であり、（ａ）はパネル係止状態から解除する操作を説明するための模式的斜視図、（ｂ）はパネル係止状態が解除された状態を示す模式的斜視図である。
【図５】同パネル取付装置の係止部材と被係止部材の係止状態を示す模式的斜視図である。
【図６】（ａ）、（ｂ）は同パネル取付装置の変形例を示す図であり、係止部材と被係止部材の係止状態及び解除状態を示す模式的斜視図である。
【図７】図６に示すパネル取付装置の係止部材を示す模式的斜視図である。
【発明を実施するための形態】
【００１１】
以下に本発明の実施の形態について、図面に基づいて説明する。
まずは図１〜図５を参照しながら、本実施形態に係るパネル取付装置の一例について説明する。なお、図４と図５は係止状態をわかり易く示すため、パネル２の図示を省略している。
本実施形態に係るパネル取付装置１は、パネル２の両側に設置されたパネル支持柱３にパネル２を着脱自在に取り付ける装置である。このパネル取付装置１は、パネル支持柱３に設けられた係止部材４と、パネル２の背面２１に設けられ係止部材４材に係止される被係止部材５とを備えている。係止部材４は、パネル支持柱３に対して上下方向に移動自在に設けられ、係止部材４を上下に移動させることにより、被係止部材５との係止状態が解除されるように構成されている。
以下、詳しく説明する。
【００１２】
パネル取付装置１に着脱自在に取り付けられるパネル２は、縦長の薄型矩形状に形成されており、図１に示すように壁面１０に設けられた凹所１１に略垂直に立てて複数枚が設置される。パネル２は、その下端面に、図１・Ｙ部拡大図に示すように切欠いて形成された切欠溝部２ａが形成されているものとしてもよい。切欠溝部２ａは、断面視して下面が開口の凹状に切り欠き形成されており、横方向に沿ってパネル２の端から端まで切り込まれている。そして、この切欠溝部２ａは、後記するレール部１２と嵌合するように形成され、これらの嵌合によって、パネル２は、その下端部が固定された状態でパネル２を凹所１１の壁面１１ａ方向に押圧し、パネル取付装置１に取り付けできるよう構成されている。
パネル２の構成は特に限定されるものではない。例えば、パネル取付装置１がパネル２を上方に持ち上げることなく着脱できるように構成されているので、調湿機能、脱臭機能等を有した機能パネルや略天井近くまで高さがあるようなパネルなどが好適である。従って、ここでは図示していないが、排気口、吸気口等を備えたパネルとしてもよいし、意匠性の高いパネル体であってもよい。
【００１３】
パネル２が取り付けられる壁面１０には、前面開口の凹所１１が形成されており、この凹所１１には、所定の間隔を空けて複数のパネル支持柱３，３・・・が複数設けられている。パネル支持柱３は、パネル２を複数並べて取り付けたときに、隣り合うパネル２とパネル２の間に若干隙間ｄが空くように形成されている。図中、２０はパネル２の前面、２１はパネル２の背面を示している。
凹所１１の下端部には、横方向に沿ってパネル２に形成された切欠溝部２ａと嵌合関係となり、パネル２の下端部を支持し取り付け位置の位置決めにもなるレール部１２が設けられている。
隣り合うパネル支持柱３とパネル支持柱３の間隔は、パネル２の幅方向の寸法に合わせて設定され、このパネル支持柱３の所定位置に係止部材４が取り付けられる。ここでは、係止部材４がパネル支持柱３の長手方向略中央位置の高さ位置に設けられており、パネル支持柱３の長手方向略中央位置に形成された操作孔３１ａ（図２（ｃ）参照）に２つの係止部材４，４が設けられた例を示している（図１・Ｘ部拡大図）。なお、パネル支持柱３及び係止部材４については後にさらに詳しく説明する。
【００１４】
図では、凹所１１の下端部にレール部１２が形成された例を示しているが、これに限定されない。凹所１１の上端部には、回り縁を設けたものとしてもよい。またここでは天井と凹所１１の上端部との間に隙間がある例を示しているが、凹所１１の上端部と天井とがほぼ一致しているものとしてもよい。
【００１５】
パネル２の背面２１には、図２（ａ）に示すような被係止部材５が、ビスなどの固定具５ａによって固着されている。
被係止部材５は、金属材や樹脂材などからなり、被係止部材５の材質としては、係止部材４に係止される際に受ける押圧によって若干弾性変形するようなばね性を備えたものが望ましい。
被係止部材５は、背面２１に固定される固定部５０と、固定部５０から略垂直に折り曲げて起立したように形成された立設部５１と、係止部材４（具体的には係止部材４の折曲部４２）と係止状態となる先端が鉤型形状の引掛部５２とを有している。平板状の固定部５０には、固定具５ａが挿通される挿通孔（不図示）が形成されている。図４等では上下に２箇所の挿通孔が形成された例を示しており、この場合は被係止部材５が２つの固定具５ａによって背面２１に強固に固着されている。また図例のものは、被係止部材５がパネル２の背面２１の略中央の両端に計２つ設けられた例を示しているが（図１参照）、これに限定されず、パネル２を壁面１１ａ方向に押圧した際に係止部材４と係止関係になるように設けられる。また被係止部材５の設置個数も図例に限定されず、パネル２の大きさ等に応じて複数設けるようにしてもよい。図３（ａ）及び（ｂ）において、５２ａは係止部材４の折曲部４２の端部４２ａが接触する当接部、５２ｂはテーパー形状とされた傾斜部である。
【００１６】
また、パネル２の背面２１とパネル支持柱３との間には、図３（ｂ）に示すようにクッション材７を介在させるようにしてもよい。図３（ｂ）では、パネル２の背面２１にクッション材７を貼り付けた例を示しているが、これに限定されず、パネル支持柱３の前面３０にクッション材７を貼り付けてもよい。クッション材７の材質は特に限定されるものではないが、例えば樹脂材、ゴム材（ＥＰＤＭ等）等を用いてもよい。またクッション材７は、パネル２の背面２１とパネル支持柱３の前面３０との間に部分的に設けるようにしてもよいし、長手方向に沿って一連に設けるようにしてもよい。
このようにクッション材７を介在させた場合は、例えば係止部材４や被係止部材５等の加工公差やパネル２の施工誤差でパネル２の背面２１とパネル支持柱３との間に隙間が生じても、クッション材７でその隙間を埋めることができる。よって、パネル
２を取り付けた際のパネル２のがたつきを抑制することができる。
【００１７】
パネル支持柱３は、金属材、樹脂材などからなり、中空の略角柱形状（図３（ａ）等参照）とされ、前面３０、背面３１、側面３２，３２とを有している。またパネル支持柱３は、前面３０が上下方向に開口した開口部３０ａと、背面３１に形成された操作孔３１ａ（図２（ｃ）参照）とを有している。なお、ここではパネル支持柱３の前面３０がパネル２と接する面、背面３１が壁面１１ａ側に配される面として説明する。
パネル支持柱３の長手方向の寸法は凹所１１の高さ寸法に合わせて形成される。またパネル支持柱３は、凹所１１内に納まるように形成され、且つパネル２を取り付け際にパネル２の前面２０が壁面１０と略面一になるように設定される。パネル支持柱３は、固定具（不図示）等によって固定されており、この際に係止部材４が可動できる隙間を確保して凹所１１に取り付けられる。またここでは図示していないが、パネル支持柱３を床に対して略垂直に位置だしできるように柱受け部材を水平方向に複数並設するようにしてもよい。
【００１８】
前面３０に形成される開口部３０ａは、パネル２を取り外す際にドライバーなどの治具８（図４（ａ）参照）が挿通され、パネル２が取り付けられた後には、開口部３０ａを塞ぐ目地カバー６（図１及び図３（ａ）、（ｂ）参照）が設けられる。両側面３２，３２には、図１のＸ部拡大図、図３（ａ）及び（ｂ）、図５に示すように上下方向に凹状のスライド溝３２ａが形成されており、このスライド溝３２ａには、係止部材４の側部４１に形成されたスライド突条部４１ａが嵌め入れられる。スライド溝３２ａの形状は、図例では断面湾曲形状に形成されたものを示しているが、これに限定されず、断面略方形状の溝であってもよい。
またスライド溝３２ａの上下方向の長さは、パネル支持柱３の上下方向の一方端から他端まで形成されているものしてもよいし、図６（ａ）及び（ｂ）に示すように操作孔３１ａの上下方向の長さと略同一程度の長さに形成してもよい。
パネル支持柱３の背面３１に形成される操作孔３１ａは、図４に示すように後記する２つの係止部材４の突起部４３が挿通された状態で上下動するよう上下方向に形成された略長円形状の長孔としてもよい（図２（ｃ）参照）。操作孔３１ａの構成、形状は、図例に限定されず、ひとつ或いは３つ以上の係止部材４の突起部４３が挿通され係止されるようにしてもよく、その形状は、図６（ａ）及び（ｂ）に示すように縦長矩形状としてもよい。このように長孔とすることで、係止部材４の突起部４３を操作孔３１ａに挿通させた状態で上下動させることができる。
【００１９】
パネル支持柱３には、図５等に示すように係止部材４が取り付けられている。
係止部材４は、図２（ｂ）に示すように、本体部４０と、側部４１，４１と、折曲部４２とを有している。係止部材４は、特に限定されないが、金属材や樹脂材などからなり、被係止部材５を係止する際に受ける押圧によって折曲部４２が若干弾性変形するようなばね性を備えたものが望ましい。係止部材４は、本体部４０がパネル支持柱３の背面３１側に設けられるように取り付けられるため、係止部材４の両側部４１，４１はパネル支持柱３の両側面３２に取り付けられる。
【００２０】
本体部４０は、背面３１の幅に合わせて形成されており、側部４１，４１は、本体部４０の長手方向（横方向）両端から略垂直に折り曲げて起立したように形成されている。また折曲部４２は、側部４１のいずれか一方の片側にのみ形成され、側部４１から折曲部４２へと図３に示すように平面視において略Ｖ字形状となるように形成されている。すなわち、折曲部４２は、片側の側部４１のパネル２設置側端部から壁面１１ａ側に折り曲げられたように形成されており、この折曲部４２の端部４２ａ（図３（ａ）、（ｂ）参照）が引掛部５２と係止状態となる。
【００２１】
本体部４０は、開口部３０ａから挿入し操作孔３１ａに差し込んだ治具８を介して上下に移動自在となるよう構成されている。よって、具体的には、本体部４０には、パネル支持柱３に取り付けられた状態において開口部３０ａ側に突出し、操作孔３１ａに係止される突起部４３が設けられている。突起部４３は、略円筒体に形成され、この突起部４３には、挿通孔４４が形成されている。挿通孔４４には、係止部材４を上下動させるための治具８（図４（ａ）及び（ｂ）参照）の先側が挿入され嵌合される大きさ、形状に形成されており、図例の挿通孔４４は、断面略円形の棒状治具８が挿通されるよう略円形に形成されている。
操作孔３１ａ、突起部４３及び挿通孔４４の形状は、図例に限定されず、例えば係止部材４を上下動させるための治具８が断面略矩形状の場合は、これらも治具８の形状に合わせて略矩形状としてもよい。
【００２２】
側部４１の内面側には、パネル支持柱３のスライド溝３２ａに嵌め入れられた状態で上下にスライドするスライド突条部４１ａが上下方向に形成されている。図３に示すようにスライド突条部４１ａはスライド溝３２ａに向かって突出するとともに、スライド溝３２ａの形状に合わせて形成される。このようにパネル支持柱３に形成されたスライド溝３２ａにスライド突条部４１ａが嵌合するように形成されているので、係止部材４がパネル支持柱３から外れてしまうことなく、スムーズに上下動させることができる。
【００２３】
以上のように形成された係止部材４は、パネル支持柱３に形成されたひとつの操作孔３１ａに対して上下方向に２つ取り付けられる。係止部材４は同じものを用いることができ、パネル支持柱３に取り付ける際には、折曲部４２が互いに異なる側面３２に取り付けられた状態となるように取り付ける。すなわち、このような状態に２つの係止部材４を取り付けるには、まずひとつの係止部材４を取り付けた後、もうひとつの係止部材４は先に取り付けた係止部材４の取り付け向きとは１８０度回転した状態で取り付ければよい。
【００２４】
パネル支持柱３の開口部３０ａを塞ぐ目地カバー６の構成は、開口部３０ａを塞ぐことができれば、特に限定されるものではない。図例の目地カバー６は、ゴム材や樹脂材などで形成され、開口部３０ａに沿って長尺に形成されており（図１参照）、パネル２の前面２０と並んで配設される化粧部６０と、パネル支持柱３の開口部３０ａ側端部に係止される被係止部６１とを有している（図３（ａ）及び図３（ｂ）参照)。
【００２５】
次に図面を参照しながら、パネル２（２Ａ）の取付要領の一例を説明する。
なお、図面には、説明をわかり易くするため、隣り合うパネル２にそれぞれ２Ａ，２Ｂと符号を付している。またこれに伴いパネル２Ａを係止する係止部材４を４Ａ、これに係止される被係止部材５を５Ａとし、同様にパネル２Ｂを係止する係止部材４を４Ｂ、これに係止される被係止部材５を５Ｂとしている。
まず、パネル２Ａの下端部の切欠溝部２ａをレール部１２に嵌合させる（図１・Ｙ部拡大図参照）。このとき、パネル２の左右両端部が、隣り合うパネル支持柱３とパネル支持柱３に取り付けられた係止部材４の取付位置と対応する位置にきているか、位置あわせを行う。そしてパネル２の下端部を支点としてそのまま凹所１１の壁面１１ａ側向かってにパネル２を押し倒していく（図１の白抜矢印参照）。
【００２６】
パネル２の背面２１に設けられた２つの被係止部材５，５の引掛部５２，５２が壁面１１ａに当接するまでパネル２Ａを押圧する。具体的には、パネル２が壁面１１ａ方向に押圧されると折曲部４２の外面上を引掛部５２の傾斜部５２ｂが接触した状態で移動し、引掛部５２が壁面１１ａに当接する位置までくると、傾斜部５２ｂが折曲部４２を乗り越える。そして、引掛部５２が壁面１１ａに当接すると、折曲部４２の端部４２ａが引掛部５２の端部５２ａに当接し、係止部材４と被係止部材５とが図３（ａ）に示すように係止状態となり、パネル２Ａの取り付けは完了である。
このとき、パネル２Ａの被係止部材５Ａを係止する係止部材４Ａは、図５に示すように操作孔３１ａの上方に位置する。一方、操作孔３１ａの下方に設けられた係止部材４Ｂはパネル２Ｂの被係止部材５Ｂをすでに係止しており、２つの係止部材４Ａ，４Ｂは、パネル２Ａ，２Ｂを係止した状態において、間隔を空けて設けられる。
このようにパネル２Ａを取り付けたら、パネル２Ａとパネル２Ｂとの間にも隙間ｄが形成され、開口部３０ａからパネル支持柱３がみえるので、目地カバー６を取り付ける。もちろん目地カバー６の取り付けタイミングは、すべてのパネル２，２・・・を取り付けてから取り付けていってもよい。
【００２７】
以上によれば、パネル２を壁面１１ａに向かって押し当てていけば取り付けることができ、パネル２を上方に持ち上げることなく、容易に取り付けを行うことができる。従って、上方に持ち上げると天井にぶつけてしまうおそれがある高さのあるパネルや重量のあるパネルなどでも容易に取り付けることができる。
また開口部３０ａには、目地カバー６が取り付けられるので、パネル２を取り付けた後に開口部３０ａ内がみえないので、見栄えがよいものとすることができる。
【００２８】
続いて、パネル２（２Ａ）の取り外し要領の一例を説明する。
まずは、開口部３０ａに取り付けた目地カバー６を取り外す。そして、開口部３０ａから治具８を差し入れ、操作孔３１ａから突出しパネル２Ａを係止している係止部材４Ａにおける突起部４３の挿通孔４４に治具８の先端を嵌め入れる（図４（ａ）参照）。そして、治具８の先端が下方へ移動するように操作する。すると、係止部材４Ａが下方にスライド移動し、被係止部材５Ａとの係止が解除されパネル２Ａを取り外すことができる。続いて同じ治具８を使ってパネル２Ｂを係止している係止部材４Ｂも操作して被係止部材５Ｂとの係止を解除すれば、パネル２Ｂを取り外すことができる。この場合も同じ開口部３０ａから治具８を差し入れ、操作孔３１ａから突出した係止部材４Ｂの突起部４３の挿通孔４４に治具８の先端を嵌め入れればよい。そしてこの場合は、治具８の先端が上方へ移動するように操作する。すると、係止部材４Ｂが上方にスライド移動し、被係止部材５Ｂとの係止が解除され、パネル２Ｂを取り外すことができる。
以上によれば、係止部材４がパネル支持柱３に対して上下方向に移動自在に設けられており、係止部材４を上方または下方に移動させることにより、被係止部材５との係止状態を解除することができるので、パネル２の取り外しを容易に行うことができる。また、パネル２を取り付けるときと同様に、パネル２を上方に持ち上げる必要がないので、例えば略天井高さまであるような背の高いパネルであっても取り外しを容易に行うことができる。
従って、パネル２のメンテナンスや交換などを容易にすることができる。
【００２９】
次に図６、図７を参照しながら、本実施形態に係るパネル取付装置の変形例について説明する。なお、図６（ａ）及び（ｂ）は係止状態をわかり易く示すため、パネル２の図示を省略している。また、上述の実施形態の例との相違点について主に説明し、同様の構成については、同一符号を付し、その説明を省略または簡略に説明する。
ここに示す例は、係止部材４の折曲部４２の引掛部５２と接触する端部４２ａが、斜め形状とされている点で上述の実施形態の例と異なる。また、パネル支持柱３に形成された操作孔３１ａ及びスライド溝３２ａの形状が、縦長の略矩形状とされている点で上述の実施形態の例と異なる。さらに係止部材４の本体部４０に形成された突起部４３の近傍に、ガイド片４０ａが形成されている点でも上述の実施形態の例と異なる。そして、図４（ａ）及び（ｂ）と、図６（ａ）及び（ｂ）を見比べるとわかるように操作孔３１ａと係止部材４の取り付け関係が、上述の実施形態の例と異なるので、パネル２の取り付け及び取り外し要領に違いがある。
以下、説明する。
【００３０】
図７に示すように係止部材４の折曲部４２の端部４２ａは、折曲部４２が下方側に向かって次第に幅狭となるように斜め形状に形成されている。すなわち、折曲部４２は、上方側より下方側の方が幅狭に形成されている。また端部４２ａの引掛部５２と接触する角部４２ｂは、面取りが施されている。係止部材４の本体部４０の突起部４３の近傍には、突起部４３と同じ方向に突出して形成された板状のガイド片４０ａが形成されている。
【００３１】
図６（ａ）及び（ｂ）に示すようにパネル支持柱３に形成された操作孔３１ａ及びスライド溝３２ａは、上下方向の長さを略同一とした縦長矩形状とされている。これら操作孔３１ａ及びスライド溝３２ａは、所定の間隔をあけて上下に形成されており、操作孔３１ａ及びスライド溝３２ａの上下方向の長さが、係止部材４の可動域となる。そして、ひとつの操作孔３１ａには、ひとつの係止部材４が取り付けられる。操作孔３１ａには、係止部材４のガイド片４０ａが挿通され、スライド溝３２ａ，３２ａには、係止部材４の側部４１に形成されたスライド突条部４１ａ，４１ａが嵌め入れられた状態で係止部材４が取り付けられる。
【００３２】
次に図面を参照しながら、パネル２の取付要領について、上述の実施形態の例と異なる点を説明する。なお、図６（ａ）及び（ｂ）には、パネルを図示していないため、上方に設けられた係止部材４を４Ａ、これに係止される被係止部材５を５Ａとし、係止部材４Ａより下方に設けられた係止部材４を４Ｂ、これに係止される被係止部材５を５Ｂとしている。
上述の実施形態の例は、パネル２の下端部を支点としてそのまま凹所１１の壁面１１ａ側向かってにパネル２を押し倒していけば、係止部材４と被係止部材５とが図３（ａ）に示すように係止状態となり、パネル２を取り付けることができる。これに対して、この変形例の場合は、パネル２を取り付ける際には、係止部材４Ａ，４Ｂのそれぞれを図６（ａ）に示すように上方へ上げておく。この状態で、パネル２の下端部を支点として凹所１１の壁面１１ａ側向かってにパネル２を押し倒していき、パネル２をパネル支持柱３に当てた後に、係止部材４Ａを治具で下方を押し下げる。
なお、ここで用いる治具は、上述の実施形態と同じものを使用できる。また治具を開口部３０ａから差し入れ、操作孔３１ａから突出した係止部材４Ｂの突起部（ここでは不図示）の挿通孔４４に治具８の先端を嵌め入れ、係止部材４Ａを移動させる点は、上述と同様である。
【００３３】
このように治具で係止部材４Ａを下方へ移動させると、係止部材４Ａは、折曲部４２の下方側（すなわち幅狭側）から被係止部材５Ａの内側に移動する。そして、折曲部４２の上方側（すなわち幅広側）と被係止部材５Ａの引掛部５２とが接触するまで係止部材４Ａを押し下げて互いを強固な係止状態とする。続いて同様の手順で係止部材４Ｂと被係止部材５Ｂとを係止状態にする。
以上によれば、引掛部５２の当接部（図６（ａ）、（ｂ）では不図示）にしっかりと折曲部４２の上方側の端部４２ａが当たるまで係止部材４を下方に下げて係止状態とすれば、パネル２のがたつきを抑制した状態でパネル２を取り付けることができる（図６（ｂ）参照）。よって、係止部材４や被係止部材５等の各部材に加工公差や施工誤差等があるような場合でも、これら公差等を吸収することができる。
このように係止部材４の折曲部４２の端部４２ａが、斜め形状に形成され、折曲部４２の下方側が次第に幅狭とされているので、パネル２を取り付ける際には、係止部材４を下方へ移動へスムーズに動かしていくことができる。また図７に示すように角部４２ｂが面取りされていれば、より一層スムーズに移動させることができる。
パネル２を取り付け固定した後、目地カバー６を取り付ける点は、上述と同様である。
【００３４】
続いて、パネル２の取り外し要領の一例を説明する。
取り外し要領については、係止部材４Ａ，４Ｂをどちら方向に動かすかの違い以外は、基本的に上述の例と同様である。まずは、目地カバー６を取り外して、開口部３０ａから治具を差し入れ、突起部（ここでは不図示）の挿通孔４４に治具の先端を嵌め入れる。そして、治具の先端が上方へ移動するように操作する。すると、係止部材４Ａが上方にスライド移動し、被係止部材５Ａとの係止が解除され、これらで固定していたパネル２を取り外すことができる。続いて、下方側の係止部材４Ｂも同様に上方にスライド移動させ、被係止部材５Ｂとの係止を解除すれば、これらで固定していたパネル２を取り外すことができる。
以上によれば、係止部材４Ａ，４Ｂを同じ方向に移動させれば、パネル２の取り付け、取り外しを容易に行うことができる。また、パネル２を取り付けるときも、パネル２を取り外すときも、パネル２を上方に持ち上げる必要がない点は、上述の実施形態の例と同様である。
【００３５】
以上、実施形態で説明したパネル２の形状や構成等は上述の例に限定されず、パネル支持柱３、係止部材４及び被係止部材５、目地カバー６、治具８、凹所１１、レール部１２の形状、構成、設置箇所及び設置される数等も図例に限定されるものではない。またパネル２が設置される場所も凹所１１に限定されず、例えば既存の壁面にパネル支持柱３やレール部１２等を設け、そこにパネル２を取り付けるようにしてもよい。
【符号の説明】
【００３６】
１      パネル取付装置
２      パネル
２１    背面
３      パネル支持柱
３０      前面
３０ａ      開口部
３１      背面
３１ａ      操作孔
４      係止部材
４０      本体部
４１      側部
４２      折曲部
４２ａ      端部
４３      突起部
４４      挿通孔
５      被係止部材
５２      引掛部
６      目地カバー
【図１】
0005919553.tif 000002
【図２】
0005919553.tif 000003
【図３】
0005919553.tif 000004
【図４】
0005919553.tif 000005
【図５】
0005919553.tif 000006
【図６】
0005919553.tif 000007
【図７】
0005919553.tif 000008